(57)【特許請求の範囲】
【請求項１】
測距対象からの反射光を集光する受光レンズと、集光された光が結像される受光素子により構成される受光センサとを備え、該受光センサの出力により測距対象までの距離を測定するようにした測距装置であって、
前記受光素子の背面側を位置決め基準として、前記受光センサを保持するための保持部材と、前記受光レンズを保持し背面から前記保持部材を突き当て可能な測距ブロックと、を備え、
前記保持部材の両端部には、前記受光センサを測距用レンズの光軸に対する位置の調整をする際に調整工具によって該受光センサを、前記背面側から保持するための二つの穴が形成され、当該形成された穴に前記調整工具が取り付けられた状態で受光センサ面に対して、前記保持部材を回転方向および平行方向に前記受光センサを移動可能とし、
前記受光素子と前記保持部材は接着剤により接着されると共に、前記保持部材の一方の面にＴＡＢテープを接着し、該ＴＡＢテープの接着反対側の面で異方性導伝膜を介して該ＴＡＢテープと前記受光素子のそれぞれの電極パッドが電気的に接続されることを特徴とする測距装置。
【請求項２】
前記受光素子は、ＣＣＤであることを特徴とする請求項１に記載の測距装置。
【請求項３】
前記受光素子は、半導体位置検出素子であることを特徴とする請求項１に記載の測距装置。
【発明の詳細な説明】
【０００１】
【発明の属する技術分野】
本発明は測距装置に係り、特にこれに搭載される受光センサの保持部材の改良に関するものである。
【０００２】
【従来の技術】
従来、測距装置や焦点調節装置における受光用のセンサとして、半導体位置検出素子（ＰＳＤ）や固体撮像素子（ＣＣＤ）が用いられている。また、これら受光センサのパッケージとしては、センサチップをガラスと樹脂材で覆ったものがよく知られている。
【０００３】
図４は、パッシブ方式の測距ユニットの構成例を示す図である。図中、４０１は受光用のレンズ、４０２はこの受光レンズ４０１や後述する受光センサ４０３を保持するための測距ブロック、４０３はセンサチップを透光性のガラスと樹脂材で覆ってなるパッケージにより構成された受光センサである。この受光センサ４０３はたとえばＣＣＤなどの光電変換素子でなり、可撓性基板４０４に実装される。可撓性基板４０４は、受光センサ４０３と図示しない制御装置を接続している。
【０００４】
上述の受光レンズ４０１、測距ブロック４０２、受光センサ４０３および可撓性基板４０４により測距ユニットが構成されている。
【０００５】
一般的にこの種の測距ユニットでは、受光センサ４０３が受光レンズ４０１の光軸上に合致するように位置調整をすることで位置精度を良好にしている。さらに図４において、４０５はこのような位置調整を行うための調整工具（その一部が示されている）であり、そのピン４０５ａ，４０５ｂを受光センサ４０３の両端の切欠き部に差し込み、受光センサ４０３を工具４０５に固定して位置調整を行うようになっている。なお、この位置調整は図中の矢印Ｘ，Ｙ，θの各方向について行われる。
【０００６】
受光センサ４０３の位置が適正に位置調整された後、そのままの状態で受光センサ４０３を測距ブロック４０２に接着する。この場合、たとえばシアノアクリレートを主成分とした瞬間接着剤を使用し、その後調整工具４０５を受光センサ４０３から離脱することで位置調整が完了する。
【０００７】
さらに最近ではパッケージの小型化を図る目的で、透光性のガラスの一方の面にＴＡＢ（Tape Automated Bonding）テープを接着剤により接着するとともに、そのＴＡＢテープの反対側の面で異方性導伝膜を介してＣＣＤチップの電極パッドを電気的に接続した受光センサが知られている（特開平７−９９２１４公報、特開平７−１８３３２９公報および特開平１０−７４９２３公報等で開示されている（以下、この受光センサの構造のパッケージをＴＯＧ（TAB On Glass）パッケージと記述する）。
【０００８】
図５は、上述したＴＯＧパッケージにおける受光センサの構成例を示す斜視図であり、図５（Ａ）はガラス面方向から、また図５（Ｂ）はチップ面方向から見た図である。図５において、５０１は透光性のガラス、５０２はＴＡＢテープ、５０３はＣＣＤチップである。ＴＡＢテープ５０２とガラス５０１は接着剤により接着し、ＴＡＢテープ５０２とＣＣＤチップ５０３は異方性導伝膜を介してそれぞれの電極パッドが電気的に接続される。また、図５（Ｂ）に示されるようにこの受光センサでは、ＴＡＢテープ５０２の電極パッド（図示せず）からパターン配線され、この配線を介して図示しない制御系に接続される。
【０００９】
【発明が解決しようとする課題】
しかしながら、従来の受光センサにおいて、特に図５に示した受光センサの場合では前述したような受光センサを工具で保持するための切欠き部または穴（図４参照）をＴＡＢテープに設けることが実質的に困難である。つまり、ＴＡＢテープにはパターン配線が施されている。そのため、このＴＡＢテープに切欠き部等の工具の保持スペースを設ける場合、パターン配線を避けて断線しないようするために、パッケージ全体を大きくせざるを得ない。
【００１０】
また、ＴＡＢテープを工具で保持するための切欠き部等を設けることができたとしても、ＴＡＢテープの素材がポリイミドのような柔らかい材質であるため、工具によってＴＡＢテープを保持した際の安定感が悪くなり、実質的に調整精度が粗くなってしまう。
【００１１】
本発明はかかる実情に鑑み、適正かつ有効な位置調整を可能にする測距装置を提供することを目的とする。
【００１２】
【課題を解決するための手段】
本発明による測距装置は、測距対象からの反射光を集光する受光レンズと、集光された光が結像される受光素子により構成される受光センサとを備え、該受光センサの出力により測距対象までの距離を測定するようにした測距装置であって、
前記受光素子の背面側を位置決め基準として、前記受光センサを保持するための保持部材と、前記受光レンズを保持し背面から前記保持部材を突き当て可能な測距ブロックと、を備え、
前記保持部材の両端部には、前記受光センサを測距用レンズの光軸に対する位置の調整をする際に調整工具によって該受光センサを、前記背面側から保持するための二つの穴が形成され、当該形成された穴に前記調整工具が取り付けられた状態で受光センサ面に対して、前記保持部材を回転方向および平行方向に前記受光センサを移動可能とし、
前記受光素子と前記保持部材は接着剤により接着されると共に、前記保持部材の一方の面にＴＡＢテープを接着し、該ＴＡＢテープの接着反対側の面で異方性導伝膜を介して該ＴＡＢテープと前記受光素子のそれぞれの電極パッドが電気的に接続されることを特徴とする。
【００１４】
また、本発明の測距装置おいて受光素子は、固体撮像素子であることを特徴とする。
また、本発明の測距装置おいて受光素子は、半導体位置検出素子であることを特徴とする。
【００１５】
【作用】
本発明によれば受光用センサのチップ背面を保持部材によって受けて、この箇所を接着剤により接着する。これにより受光センサを受光用レンズの光軸に対して適正な位置に調整する際には、調整用工具が保持部材を介して受光センサを保持することにより、受光センサは小型のままで精密な調整が可能となる。
【００１６】
【発明の実施の形態】
以下、図面を参照しながら、従来例と実質的に同一または対応する部材には同一符号を用いて、本発明による測距装置の好適な実施の形態を説明する。
図１は、本実施形態に係る受光センサとこの受光センサを保持する保持部材を示す斜視図である。この実施形態に係る受光センサにおいて、受光素子としてＣＣＤチップを用いる受光センサの例とする。
【００１７】
図において、１は受光センサであり、既に説明したＴＯＧパッケージとして構成されている。図１においては受光センサ１はＣＣＤチップ背面から見たものが図示されており、受光センサ１において突出した部分がＣＣＤチップ２に該当する。受光センサ１において、透光性のガラスの一方の面にＴＡＢテープが接着剤により接着されるとともに、そのＴＡＢテープの反対側の面で異方性導伝膜を介してＴＡＢテープとＣＣＤチップ２ぞれぞれの電極パッドが電気的に接続されるようになっている。
【００１８】
１０は受光センサ１の保持部材であり、受光センサ１におけるハッチング部Ａを保持部材１０のハッチング部Ｂ（凹面）で受けて接着剤により接着するようにしている。
【００１９】
また、保持部材１０の両端部には二つの穴１０ａ，１０ｂが形成されている。これらの穴１０ａ，１０ｂは、受光センサ１を測距用レンズの光軸に対して適正な位置に調整する際に、後述するように調整工具に取り付けられたピンによって受光センサ１を保持するために使用される。
【００２０】
ここで図２は、受光センサ１の位置調整工程を説明するための図である。図２において、４０１は測距用の受光レンズ、４０２は受光レンズ４０１が取り付けられた測距ブロック、４０５は位置調整を行うための調整工具であり、両端部にピン４０５ａ，４０５ｂを有している。これらの部材等は、実質的に前述したものと同様である（図４参照）。なお、図２において受光センサ１には、上述のように保持部材１０が取り付けられている。
【００２１】
この実施形態の位置調整においては、調整工具４０５の二本のピン４０５ａ，４０５ｂを受光センサ１に取り付けられている保持部材１０の穴１０ａ，１０ｂに挿し込み受光センサ１を保持する。つぎに、保持された受光センサ１が測距フロック４０１に突き当たるように調整工具４０５を移動する。この状態で測距用レンズの光軸に対して受光センサ１が適正な位置にくるように図中のＸ，Ｙ，θ方向に調整工具４０５を移動させ、これにより位置調整が行われる。
【００２２】
受光センサ１が適正に位置調整された後、測距ブロック４０２と受光センサ１を接着剤により接着し、固定されたら調整工具４０５を受光センサ１から引き抜いて受光センサ１の位置調整を完了する。
【００２３】
ここで受光センサ１の調整位置の良否の判断は、受光レンズ４０１の光軸上で測距ブロック４０２から所定距離だけ離れた位置に基準チャートを配置して（図示せず）、受光センサ１の出力状態により判断するようにしている。なお、ここでは簡単のため受光センサ１から電気的な接続図は省略している。
【００２４】
以上のようにして、受光センサ１に保持部材１０を組み付け、位置決めを安定させることによって高精度な位置調整を実現している。
【００２５】
なお、上記実施形態の説明では保持部材１０の形状を簡略化して記載したが、保持部材を図３のような形状にし、図中のハッチング部Ｃを図２における測距フロック４０２との受け面とすることもできる。
また、上記実施形態では受光センサとしてＣＣＤの例を説明しているが、これに限らず測距方式が三角測量の原理を利用したアクティブ方式の測距装置に用いられるＰＳＤであっても差し支えない。
【００２６】
【発明の効果】
以上説明したように本発明によれば、この種の測距において受光センサのチップ背面を保持部材で受けて、この箇所を接着剤により接着する。受光センサを受光レンズの光軸に対して適正な位置に調整する際、調整用工具が保持部材を介して受光センサを保持することにより、受光センサは小型のままにしながら精密な調整が可能となる。
【図面の簡単な説明】
【図１】本発明の実施例に係る受光センサと保持部材の外形の斜視図である。
【図２】本発明の実施例に係る受光センサの位置調整を説明した図である。
【図３】保持部材の変形例を説明するための外形の斜視図である。
【図４】ＴＯＧパッケージを説明した外形の斜視図である。
【図５】従来パッケージにおけるの受光センサの位置調整を説明した図である。
【符号の説明】
１    受光センサ
２    ＣＣＤチップ
１０    保持部材
１０ａ，１０ｂ  穴
４０１    受光レンズ
４０２    測距ブロック
４０５    調整工具
４０５ａ，４０５ｂ  ピン
【図１】
0004154061.tif 000002
【図２】
0004154061.tif 000003
【図３】
0004154061.tif 000004
【図４】
0004154061.tif 000005
【図５】
0004154061.tif 000006